(57)【要約】      （修正有）【課題】電子機器用カバーがカメラの視野の妨げにならないようにした電子機器用カバー装置を提供する。【解決手段】ガイドケース１０に、電子機器４５を付着させるスライダケース１３を挟着保持させる突出ロック溝４６Ｂ、４６Ｃを設けると共に、当該突出ロック溝４６Ｂ、４６Ｃにスライダケース１３に設けたロックプレート３１を挟着させることによって、電子機器４５の摺動に基づく外方への突出量を決めることができることにより、電子機器４５に設けられたカメラレンズ６１、６２をカバーシート２によって妨げられずに撮像動作できるように、確実に外方に突出させることができる。【選択図】図１
0003218198.tif 000002
【実用新案登録請求の範囲】
【請求項１】
左右方向に裏面シート部及び表面シート部を横方向に連接してなるカバーシートを上記横方向の中間位置において２つ折りして上記裏面シート部及び上記表面シート部間に電子機器をカバー保持するようになされた電子機器用カバー装置において、
上記表面シート部の内側表面に、上記横方向と直交する上下辺方向に摺動するようにスライダケースを保持するガイドケースが設けられ、
上記スライダケースは、枠開口を有する長方形枠型形状の上ガイドケースと、当該上ガイドケースによって閉塞される皿型形状の下ガイドケースとの間に、上記上ガイドケースの上記枠開口内を上記上下辺方向に摺動するように挟着保持され、
上記スライダケースの上面に接着保持された電子機器が、上記スライダケースの摺動動作によって、上記裏面シート部及び上記表面シート部の間に全体としてカバーされた動作状態と、上記裏面シート部及び上記表面シート部の上記上下辺方向の縁部から上記上下辺方向の端部が外方向に突出する動作状態とを選択的に動作することができるように、上記スライダケースは、上記上ガイドケースの左側縁部及び又は右側縁部に設けられた非突出ロック溝又は突出ロック溝に係止されるロックプレートを具え、
上記突出ロック溝は、１台のカメラレンズが設けられた端部を外方に突出させる電子機器に対応する第１段突出ロック溝と、縦型配列された複数台のカメラレンズが設けられた端部を外方に突出させる電子機器に対応する第２段突出ロック溝とを有する
ことを特徴とする電子機器用カバー装置。
【請求項２】
左右方向に裏面シート部及び表面シート部を横方向に連接してなるカバーシートを上記横方向の中間位置において２つ折りして上記裏面シート部及び上記表面シート部間に電子機器をカバー保持するようになされた電子機器用カバー装置において、
上記表面シート部の内側表面に、上記横方向と直交する上下辺方向に摺動するようにスライダケースを保持するガイドケースが設けられ、
上記スライダケースは、枠開口を有する長方形枠型形状の上ガイドケースと、当該上ガイドケースによって閉塞される皿型形状の下ガイドケースとの間に、上記上ガイドケースの上記枠開口内を上記上下辺方向に摺動するように挟着保持され、
上記スライダケースの上面に接着保持された電子機器が、上記スライダケースの摺動動作によって、上記裏面シート部及び上記表面シート部の間に全体としてカバーされた動作状態と、上記裏面シート部及び上記表面シート部の上記上下辺方向の縁部から上記上下辺方向の端部が外方向に突出する動作状態とを選択的に動作することができるように、上記スライダケースは、上記上ガイドケースの左側縁部及び又は右側縁部に設けられた非突出ロック溝又は突出ロック溝に係止されるロックプレートを具え、
上記突出ロック溝は、１台のカメラレンズが設けられた端部を外方に突出させる電子機器に対応する第１段突出ロック溝と、溝型配列された複数台のカメラレンズが設けられた端部を外方に突出させる電子機器に対応する第２段突出ロック溝とを有する
ことを特徴とする電子機器用カバー装置。
【請求項３】
左右方向に裏面シート部及び表面シート部を横方向に連接してなるカバーシートを上記横方向の中間位置において２つ折りして上記裏面シート部及び上記表面シート部間に電子機器をカバー保持するようになされた電子機器用カバー装置において、
上記表面シート部の内側表面に、上記横方向と直交する上下辺方向に摺動するようにスライダケースを保持するガイドケースが設けられ、
上記スライダケースは、枠開口を有する長方形枠型形状の上ガイドケースと、当該上ガイドケースによって閉塞される皿型形状の下ガイドケースとの間に、上記上ガイドケースの上記枠開口内を上記上下辺方向に摺動するように挟着保持され、
上記スライダケースの上面に接着保持された電子機器が、上記スライダケースの摺動動作によって、上記裏面シート部及び上記表面シート部の間に全体としてカバーされた動作状態と、上記裏面シート部及び上記表面シート部の上記上下辺方向の縁部から上記上下辺方向の端部が外方向に突出する動作状態とを選択的に動作することができるように、上記スライダケースは、上記上ガイドケースの左側縁部及び又は右側縁部に設けられた非突出ロック溝又は突出ロック溝に係止されるロックプレートを具え、
上記突出ロック溝は、複数台のカメラレンズを横型配列してなる端部を外方に突出させる電子機器に対応する第１段突出ロック溝と、縦型配列された複数台のカメラレンズが設けられた端部を外方に突出させる電子機器に対応する第２段突出ロック溝とを有する
ことを特徴とする電子機器用カバー装置。
【考案の詳細な説明】
【技術分野】
【０００１】
本考案は電子機器用カバー装置に関し、特に電子機器本体を必要に応じて外部に突出させることができるようにしたものである。
【背景技術】
【０００２】
携帯電話機や、スマートフォンのような携帯型情報処理用機器などの携帯型電子機器においては、外部からの破壊の予防や、携帯の簡便性や、手回り品としての意匠的効果の観点などから電子機器を覆うようなケースやカバーを用いることが多様化されている（特許文献１参照）。
【先行技術文献】
【特許文献】
【０００３】
【特許文献１】特開２０１５−１４９７８２号公報
【考案の概要】
【考案が解決しようとする課題】
【０００４】
ところで、この種の携帯型電子機器においては、一般に、小型カメラが搭載されており、ユーザが当該カメラを使用する際に、電子機器本体を覆うように設けられたケースやカバーがカメラの視野の妨げにならないようにする必要がある。
【０００５】
本考案は以上の点を考慮してなされたもので、電子機器用カバーがカメラの視野の妨げにならないようにした電子機器用カバー装置を提案しようとするものである。
【課題を解決するための手段】
【０００６】
かかる課題を解決するため本考案においては、左右方向に裏面シート部６及び表面シート部４を横方向に連接してなるカバーシート２を横方向の中間位置において２つ折りして裏面シート部６及び表面シート部４間に電子機器４５をカバー保持するようになされた電子機器用カバー装置１において、表面シート部４の内側表面に、横方向と直交する上下辺方向に摺動するようにスライダケース１３を保持するガイドケース１０が設けられ、スライダケース１３は、枠開口１１Ａを有する長方形枠型形状の上ガイドケース１１と、当該上ガイドケース１１によって閉塞される皿型形状の下ガイドケース１２との間に、上ガイドケース１１の枠開口１１Ａ内を上下辺方向に摺動するように挟着保持され、スライダケース１３の上面に接着保持された電子機器４５が、スライダケース１３の摺動動作によって、裏面シート部６及び表面シート部４の間に全体としてカバーされた動作状態と、裏面シート部６及び表面シート部４の上下辺方向の縁部から上下辺方向の端部が外方向に突出する動作状態とを選択的に動作することができるように、スライダケース１３は、上ガイドケース１１の左側縁部及び又は右側縁部に設けられた非突出ロック溝４６Ａ又は突出ロック溝４６Ｂ、４６Ｃに係止されるロックプレート３１を具え、突出ロック溝４６Ｂ、４６Ｃは、１台のカメラレンズ６１が設けられた上方突出部分４５Ｘ１を外方に突出させる電子機器４５に対応する第１段突出ロック溝４６Ｂと、縦型配列された複数台のカメラレンズ６２が設けられた上方突出部分４５Ｘ２を外方に突出させる電子機器４５に対応する第２段突出ロック溝４６Ｃとを有するようにする。
【考案の効果】
【０００７】
本考案によれば、ガイドケースに、電子機器を付着させるスライダケースを挟着保持させる突出ロック溝を設けると共に、当該突出ロック溝にスライダケースに設けたロックプレートを挟着させることによって、電子機器の摺動に基づく外方への突出量を決めることができることにより、電子機器に設けられたカメラレンズをカバーシートによって妨げられずに撮像動作できるように、確実に外方に突出させることができる。
【図面の簡単な説明】
【０００８】
【図１】（Ａ）〜（Ｃ）は非突出ロック状態又は突出ロック状態にある電子機器用カバー装置１を示す平面図である。
【図２】図１の電子機器保持機構５の詳細構成を示す分解構造図である。
【図３】スライダケース１３の構成を裏側から見て示す斜視図である。
【図４】スライダケース１３に対するロックプレート３１の摺動動作の説明に供する斜視図である。
【図５】ロックプレート３１の詳細構成を裏側から見た斜視図である。
【図６】ロックプレート３１と押圧偏奇用スプリング４１の結合状態を裏側から見た部分的拡大斜視図である。
【図７】（Ａ）〜（Ｄ）はスライダケース１３の基本構想を示す部分的断面図である。
【図８】（Ａ）〜（Ｄ）は第２の実施の形態におけるスライダケースの基本構想を示す部分的断面図である。
【図９】（Ａ）〜（Ｄ）は第３の実施の形態におけるスライダケースの基本構想を示す部分的断面図である。
【考案を実施するための形態】
【０００９】
以下図面について、本考案の一実施の形態を詳述する。
【００１０】
（１）第１の実施の形態
図１において、１は全体として電子機器用カバー装置を示し、横長の長方形状の縫製素材でなるカバーシート２を中央シート部３を中心として手帳形式に左右方向に２つ折りできるようになされている。
【００１１】
右側の表面シート部４の内面には電子機器保持機構５が設けられているのに対して、左側の裏面シート部６にはユーザが常時使用するカードを一時的に保持するカード収納機構７が設けられている。
【００１２】
電子機器保持機構５は、図２に示すように、合成樹脂材料でなる長方形状の板状枠体で構成された上ガイドケース１１とこの上ガイドケース１１の枠開口１１Ａを下側から閉塞するように重ね合わされた合成樹脂材料でなる皿形状の下ガイドケース１２とを有する。
【００１３】
上ガイドケース１１の左側縁部１１Ｌ及び右側縁部１１Ｒは下ガイドケース１２の左側縁部１２Ｌ及び右側縁部１２Ｒより内側に張り出すように左側縁部１２Ｌ及び右側縁部１２Ｒより幅広に構成されていると共に、上ガイドケース１１の下辺縁部１１Ｄ及び上辺縁部１１Ｕは下ガイドケース１２の下辺縁部１２Ｄ及び上辺縁部１２Ｕより幅広に構成されている。
【００１４】
これにより上ガイドケース１１の下面と下ガイドケース１２の底板部１２Ａとの間に合成樹脂材料で構成されたスライダケース１３が上下辺方向に摺動できる摺動空間５Ａを形成している。
【００１５】
スライダケース１３の左側縁部１３Ｌ及び右側縁部１３Ｒにはそれぞれ左側方向及び右側方向に突出するように摺動突子２１Ｌ及び２１Ｒが形成され、この摺動突子２１Ｌ及び２１Ｒが上ガイドケース１１の左側縁部１１Ｌ及び右側縁部１１Ｒの下面と下ガイドケース１２の底板部１２Ａの上面とに挟まれるように案内されながら上ガイドケース１１及び下ガイドケース１２の下辺縁部１１Ｄ及び１２Ｄから上辺縁部１１Ｕ及び１２Ｕの方向に、又はその逆方向に摺動できるようになされている。
【００１６】
スライダケース１３は上下方向を反転させて（裏返して）図３に示すように、左側縁部１３Ｌ及び右側縁部１３Ｒと下辺縁部１３Ｄ及び上辺縁部１３Ｕとによって囲まれて下方に開放するような凹部２２を形成している。
【００１７】
右側縁部１３Ｒには外側から凹部２２に連通するような摺動溝２３が穿設されており、摺動溝２３の相対向する案内面２３Ａ及び２３Ｂを凹部２２にまで連通させるように案内部材２４Ａ及び２４Ｂが設けられている。
【００１８】
かくして外側から摺動溝２３を通ってロックプレート３１が差し込まれたとき、案内面２３Ａ及び２３Ｂと案内部材２４Ａ及び２４Ｂの連接面を介してロックプレート３１の先端部が凹部２２の表面に摺接しながら出し入れ動作できるようになされている。
【００１９】
このときスライダケース１３は凹部２２の空所が下ガイドケース１２の底板部１２Ａ上に伏せるような状態で下ガイドケース１２の底板部１２Ａの面上に置かれていると共に、摺動突子２１Ｌ及び摺動突子２１Ｒが、上ガイドケース１１の左側縁部１１Ｌ及び右側縁部１１Ｒと、下ガイドケース１２の底板部１２Ａとの間に摺動自在に挟着された状態で保持されている。
【００２０】
これにより、図４に示すように、ロックプレート３１が摺動溝２３に差し込まれたとき、ロックプレート３１の挿入部３１Ａが案内面２３Ａ及び２３Ｂと、案内部材２４Ａ及び２４Ｂとによって下ガイドケース１２の底板部１２Ａ上に案内保持される。
【００２１】
その結果、ロックプレート３１が摺動溝２３の最も深い位置に挿入されたとき、ロックプレート３１の後端側に設けられた係止部３１Ｂが凹部２２の前端面位置まで挿入され、これにより係止部３１Ｂが摺動溝２３を閉塞する状態になるようになされている。
【００２２】
この実施の形態の場合、ロックプレート３１の係止部３１Ｂは挿入部３１Ａの厚味より大きな厚味を有すると共に、後端面３１Ｃが後方に円弧状に突出する形状を有し、前端面３１Ｄが凹部２２の後端面２２Ａと対向するような平面を形成しており、これによりロックプレート３１が最も深い位置に押し込まれたとき、係止部３１Ｂの前端面３１Ｄが凹部２２の後端面２２Ａに近接した状態になり、このとき係止部３１Ｂの後端面３１Ｃが上ガイドケース１１の右側縁部１１Ｒの内表面に対接した状態に維持される。
【００２３】
スライダケース１３の凹部２２において、摺動溝２３と対向する後方位置には棒状のＵ字状押圧偏奇用スプリング４１が配設され、その後方端部４１Ａがスライダケース１３の左側縁部１３Ｌの前面と対向するように形成された一対の係止突起４１Ｂ及び４１Ｃとの間に係止され、これにより押圧偏奇用スプリング４１の前方端部４１Ｄが摺動溝２３に対して前後方向に弾力動作できるようになされている。
【００２４】
この実施の形態の場合、ロックプレート３１の挿入部３１Ａの先端部には図５に示すように、係止部３１Ｅとして一対の係止爪３１Ｆ及び３１Ｇが設けられ、この一対の係止爪３１Ｆ及び３１Ｇによって図６に示すように、押圧偏奇用スプリング４１の前方端部４１Ｄが係止されている。
【００２５】
これによりロックプレート３１は常時押圧偏奇用スプリング４１の前方端部４１Ｄに係止されており、これによりロックプレート３１の摺動溝２３内の摺動動作の際に、当該ロックプレート３１が押圧偏奇用スプリング４１のスプリング動作と離間することなく一体に動作するようになされている。
【００２６】
以上の構成に加えて上ガイドケース１１の右側縁部１１Ｒの内側面には３つのロック溝、すなわち非突出ロック溝４６Ａ、第１段突出ロック溝４６Ｂ及び第２段突出ロック溝４６Ｃが所定の間隔を保って形成されている。
【００２７】
この非突出ロック溝４６Ａは、スライダケース１３の上面１３Ｘ（図２）上に接着材層４４（図１（Ａ）〜（Ｃ））を介して電子機器４５が接着されたとき、電子機器４５を図１（Ａ）に示すように、カバーシート２の表面シート部４の表面から外部に突出させないように電子機器４５を位置決めするために、スライダケース１３のロックプレート３１の係止部３１Ｂを下辺側の非突出ロック溝４６Ａに係止させた状態を保持させる。
【００２８】
このとき電子機器用カバー装置１を使用するユーザは、電子機器４５を、カバーシート
２の表面シート部４の外側縁より内側に保持させることにより、電子機器４５を外部からの破壊衝撃を受けないような状態で保持する。
【００２９】
これに対して電子機器４５に搭載されているカメラをユーザが使用する際には、図１（Ｂ）、又は図１（Ｃ）に示すように、スライダケース１３をそのロックプレート３１の係止部３１Ｂを第１段突出ロック溝４６Ｂ、又は第２段突出ロック溝４６Ｃに係止させた状態になるように、スライダケース１３を上辺方向に移動させる。
【００３０】
ここで、図１（Ｂ）に示すように、スライダケース１３が第１段突出ロック溝４６Ｂに係止されている状態においては、電子機器４５はその上方突出部分４５Ｘ１がカバーシート２の上辺より上方に突出する状態に維持される。このカバーシート２の上辺からの第１段突出幅Ｐ１は比較的小さい値に選定されており、これにより電子機器４５の先端部分に設けられている１個のカメラレンズ６１がカバーシート２に妨げられずに撮像動作できるように、上方に突出した状態を維持するようになされている。
【００３１】
これに対して、図１（Ｃ）に示すように、ユーザがスライダケース１３を第２段突出ロック溝４６Ｃに係止させる位置まで上方に移動させたとき、スライダケース１３に装着された電子機器４５は、第２段突出ロック溝４６Ｃが第１段突出ロック溝４６Ｂより上方位置に設けられていることにより、電子機器４５のカバーシート２からの上方突出量、すなわち第２段突出幅Ｐ２が、図１（Ｂ）の第１段突出幅Ｐ１よりさらに大きくなるように選定されている。
【００３２】
かくして、縦型配列された複数のカメラレンズでなる縦配列レンズ６２が設けられているような電子機器４５の場合に、当該縦配列レンズ６２がカバーシート２に妨げられずに撮像動作できるように、当該上方突出部分４５Ｘ２がカバーシート２から上方に突出する状態を維持できる。
【００３３】
以上の構成において、ユーザが電子機器用カバー装置１を使用するとき、電子機器４５のカメラを使用する場合以外の状態においては図１（Ａ）に示すように、スライダケース１３のロックプレート３１を上ガイドケースの非突出ロック溝４６Ａに係合させた状態にする。
【００３４】
このとき電子機器４５はカバーシート２の表面シート部４から外にはみ出すような状態にはならないので、ユーザは電子機器４５を安定に保持して操作することができる。
【００３５】
これに対して、電子機器４５のカメラを使用する場合には、図１（Ｂ）又は図１（Ｃ）に示すように、ユーザはスライダケース１３を上方に摺動させることにより、第１段突出ロック溝４６Ｂ、又は第２段突出ロック溝４６Ｃに係止させることにより電子機器４５をカバーシート２の表面シート部４の上辺方向に突出させることによりカメラを使用できる状態にする。
【００３６】
このとき、電子機器４５が図１（Ｂ）、又は図１（Ｃ）に示すように、上方突出部分４５Ｘ１、又は４５Ｘ２に示すように、１つのカメラレンズ６１の場合のようにレンズの配置位置が狭い場合には比較的小さい第１段突出幅Ｐ１だけ突出できるようにスライダケース１３を第１段突出ロック溝４６Ｂに係止させる状態にし、これに対して図１（Ｃ）に示すように、電子機器４５が縦配列レンズ６２の場合のように、レンズの配置位置が広い場合には、上方突出部分４５Ｘ２が突出できるように、比較的大きい第２段突出幅Ｐ２だけ突出できるように、スライダケース１３を第２段突出ロック溝４６Ｃに係止させるようにする。
【００３７】
かくしてガイドケース１０がスライダケース１３を非突出ロック溝４６Ａに加えて第１段突出ロック溝４６Ｂ又は第２段突出ロック溝４６Ｃに係止できるようなカバーシート２を設けることにより、カバーシート２を使用できる電子機器４５として、多様な構成のものに適用できるような電子機器用カバー装置を実現することができる。
【００３８】
その結果、電子機器用カバー装置１は簡便にユーザの使用目的に沿うような状態で使用させることができる。
【００３９】
このようにするにつき、スライダケース１３の内側に形成した凹部２２を下ガイドケース１２の底板部１２Ａに押し付けた状態でスライダケース１３を上下辺方向に摺動できるように、スライダケース１３を上ガイドケース１１及び下ガイドケース１２間に挟着保持したことにより、スライダケース１３内に対するロックプレート３１及び押圧偏奇用スプリング４１の組立て作業が簡便かつロックプレート３１の非突出ロック溝４６Ａ及び突出ロック溝４６Ｂ、４６Ｃへのロック動作がスムースな電子機器保持機構５が実現できる。
【００４０】
このようなスライダケース１３の摺動動作は、図７（Ａ）〜（Ｄ）に示す基本構成に基づいて実行される。
【００４１】
すなわち先ず図７（Ａ）に示すように、上ガイドケース１１の非突出ロック溝４６Ａにロックプレート３１を係止させた状態に維持させることにより、スライダケース１３上に設けられた接着材層４４に接着保持された電子機器４５を表面シート部４上に位置決めさせることにより、図１（Ａ）に示すように、電子機器４５についてカメラを使わない状態に位置決めできる。
【００４２】
この状態からユーザは、スライダケース１３を上方向に摺動させることにより、図７（Ｂ）に示すように、ロックプレート３１を非突出ロック溝４６Ａとの係止状態から外すように、摺動させる。
【００４３】
このときロックプレート３１の係止部３１Ｂは、非突出ロック溝４６Ａとの係止状態が外れて図７（Ｂ）に示すように、上ガイドケース１１の右側縁部１１Ｒの枠開口１１Ａの内側側面に当接した状態になり、ロックプレート３１は押圧偏奇用スプリング４１の偏奇力に抗して摺動溝２３内に押し込まれた状態のまま、右側縁部１１Ｒに摺接しながらスライダケース１３を上辺方向に摺動させていく。
【００４４】
この摺動動作は、押圧偏奇用スプリング４１の偏奇力がロックプレート３１に加えられることにより、ユーザに対して一定の重さを感じさせながら摺動動作させることができることにより、スライダケース１３、従って電子機器４５を安定な状態を維持させながら上辺方向に移動させていくことができる。
【００４５】
この状態においてユーザがさらにスライダケース１３を上辺方向に摺動させていくと、やがて図７（Ｃ）に示すように、ロックプレート３１の係止部３１Ｂが第１段突出ロック溝４６Ｂに係止される状態になる。
【００４６】
このときスライダケース１３上に接着材層４４によって接着された電子機器４５は、その上方突出部分４５Ｘ１を表面シート部４から上方に突出させることにより、図１（Ｂ）に示すように、当該上方突出部分４５Ｘ１に設けられている１つのカメラレンズ６１が表面シート部４に妨げられずに外方に突出した状態になる。
【００４７】
かくして電子機器用カバー装置１は先端部に１つのカメラレンズ６１を配設してなる電子機器４５をカバー保持した場合に、１台のカメラレンズ６１を表面シート部４による障害を受けることなくカメラレンズ動作をさせることができる。
【００４８】
これに加えてユーザが図１（Ｃ）に示すように、電子機器４５として上方突出部分４５Ｘ２に縦方向に縦配列された３台のカメラレンズ６２を有する電子機器４５をカバー保持した状態において、ガイドケース１０に設けられているスライダケース１３のロックプレート３１を第２段突出ロック溝４６Ｃに係止させた状態に上方に摺動させる。
【００４９】
このとき電子機器４５の上方突出部分４５Ｘ２が表面シート部４から上方に突出した状態になり、この先端部分に縦型に設けられている３台のカメラレンズ６２が表面シート部４に妨げられないように上方に突出する。
【００５０】
かくして電子機器用カバー装置１は上方突出部分４５Ｘ２に３台のカメラ列を有するような電子機器４５をカバー保持するような場合にも、表面シート部４に妨げられることなく外部に突出して撮影動作をさせることができる。
【００５１】
（２）第２の実施の形態
図８は第２の実施の形態を示すもので、図７との対応部分に同一符号を付して示す。
【００５２】
この場合スライダケース１３において、ロックプレート３１に押圧偏奇力を与えるばね押圧偏奇用スプリング４１Ｘは２本のコイルスプリング４１ＸＡ及び４１ＸＢで構成され、この２本のコイルスプリング４１ＸＡ及び４１ＸＢによってスライダケース１３を摺動溝２３に向う方向に押圧偏奇する。
【００５３】
ロックプレート３１の摺動溝２３とは反対側の後方端部には板状の係合部材７１が設けられ、当該係合部材７１と対向するようにスライダケース１３の左側縁部１３Ｌ側に設けられた係合部材７２との間にコイルスプリング４１ＸＡ及び４１ＸＢが介挿されている。
【００５４】
かくしてロックプレート３１が非突出ロック溝４６Ａに係止されている状態（図８（Ａ））から第１段突出ロック溝４６Ｂに係止される状態（図８（Ｃ））及び第２段突出ロック溝４６Ｃにスライダケース１３が摺動する（図８（Ｄ））際に、ロックプレート３１の係止部３１Ｂがスライダケース１３の右側縁部１３Ｒに摺接しながら移動する状態において、当該右側縁部１３Ｒからロックプレート３１が受ける押圧力を２本のコイルスプリング４１ＸＡ及び４１ＸＢによって安定に支持できるようになされている。
【００５５】
かくして図８の構成によれば、スライダケース１３に接着材層４４を介して支持されている電子機器４５を、非突出ロック溝４６Ａから第１段突出ロック溝４６Ｂ又は第２段突出ロック溝４６Ｃの位置まで一段と安定に摺動動作させることができる。
【００５６】
（３）第３の実施の形態
図９は第３の実施の形態を示すもので、図７との対応部分に同一符号を付して示す。
【００５７】
この場合の上ガイドケース１１は、右側縁部１１Ｒに非突出ロック溝４６Ａ、並びに第１段突出ロック溝４６Ｂ及び第２段突出ロック溝４６Ｃを設けると共に、上ガイドケース１１の対向する左側縁部１１Ｌにも非突出ロック溝４６ＡＸ、並びに第１段突出ロック溝４６ＢＸ及び第２段突出ロック溝４６ＣＸを設ける。
【００５８】
右側縁部１１Ｒに対応するロックプレート３１に対して押圧偏奇用スプリング４１を設けることは図７の場合と同様であるが、この場合は左側縁部１１Ｌ側のロックプレート３１Ｘにも押圧偏奇用のスプリング４１Ｘを設ける。
【００５９】
図９の構成によれば、スライダケース１３を上ガイドケース１１及び下ガイドケース１２間の位置を下辺方向から上辺方向まで移動させるにつき、右側縁部１１Ｒと左側縁部１１Ｌとの両方に対してロックプレート３１及び３１Ｘの押圧力をバランスよく与えるようにしたことにより、スライダケース１３に保持されている電子機器４５の突出動作に対して一段と強くしかも安定かつ確実に摺動動作させることができ、これにより電子機器４５のカメラをユーザが使用する際の取扱いに対する安定性を高めることができる。
【００６０】
（４）他の実施の形態
（４−１）上述の図１（Ｃ）の実施の形態においては、複数のカメラレンズ６２として縦型配列の構成の電子機器４５に本考案を適用した場合について述べたが、これに代え又はこれに加えて、複数のカメラレンズを横配列した電子機器に適用するようにしても、同様の効果を得ることができる。
【００６１】
（４−２）上述の実施の形態においてはロック溝として、第１段突出ロック溝４６Ｂに対して、第２段突出ロック溝４６Ｃを設けるようにしたが、これに加えて、さらに第２段ロック溝として第３段以上の複数のロック溝を設けるようにしても良い。
【００６２】
（４−３）上述の実施の形態においては、電子機器として上部にカメラレンズを設けたものについて述べたが、これに限らず、中央付近にカメラレンズを設けた電子機器に対して、これに対応した位置にロック溝を設けるようにしても、上述の場合を同様の効果を得ることができる。
【００６３】
（４−４）上述の実施の形態においては、上ガイドケース１１の右側縁部１１Ｒ側に非突出ロック溝４６Ａ並びに第１段及び第２段突出ロック溝４６Ｂ及び４６Ｃを設けるようにしたが、これに代え左側縁部１１Ｌ側に設けるようにしても良い。
【００６４】
（４−５）上述の実施の形態においては、図１（Ｂ）に示すようにロックプレート３１を第１段突出ロック溝４６Ｂにロック保持したとき、電子機器４５の上方突出部分４５Ｘ１に１台のカメラレンズ６１を設けた場合について述べたが、これに代え横配列に複数のカメラレンズを設けるようにしても、上述の場合と同様の効果を得ることができる。
【産業上の利用可能性】
【００６５】
本考案は電子機器を携帯する場合に利用することができる。
【符号の説明】
【００６６】
１……電子機器用カバー装置、２……カバーシート、３……中央シート部、４……表面シート部、５……電子機器保持機構、６……裏面シート部、７……カード収納機構、１１……上ガイドケース、１１Ｌ、１１Ｒ……左側及び右側縁部、１１Ｄ、１１Ｕ……下辺及び上辺縁部、１２……下ガイドケース、１２Ａ……底板部、１２Ｌ、１２Ｒ……左側及び右側縁部、１２Ｄ、１２Ｕ……下辺及び上辺縁部、１３……スライダケース、１３Ｌ、１３Ｒ……左側、右側縁部、１３Ｄ、１３Ｕ……下辺及び上辺縁部、２１Ｒ、２１Ｌ……摺動突子、２２……凹部、２３……摺動溝、２３Ａ、２３Ｂ……案内面、２４Ａ、２４Ｂ……案内部材、３１……ロックプレート、３１Ａ……挿入部、３１Ｂ……係止部、３１Ｃ……後端面、３１Ｅ……係止部、３１Ｆ、３１Ｇ……係止爪、４１……押圧偏奇用スプリング、４１Ａ……後方端部、４１Ｂ、４１Ｃ……係止突起、４１Ｄ……前方端部。
【図１】
0003218198.tif 000003
【図２】
0003218198.tif 000004
【図３】
0003218198.tif 000005
【図４】
0003218198.tif 000006
【図５】
0003218198.tif 000007
【図６】
0003218198.tif 000008
【図７】
0003218198.tif 000009
【図８】
0003218198.tif 000010
【図９】
0003218198.tif 000011